(57)【要約】【課題】外部表示機器の表示画面上に最適な操作画面を表示させ、ユーザの操作性を向上させること。【解決手段】画像形成装置は、操作に係る画面をユーザに表示し、外部表示機器の画面サイズを示す情報を含み、画像形成装置を使用させるユーザの認証に使用する認証データを処理する認証部と、操作パネルに画面表示を行う表示部と、前記認証データに基づく外部表示機器の画面サイズと、前記操作パネルの画面サイズとを比較した結果に基づいて、前記外部表示機器及び前記操作パネルに画面表示を実行する制御部とを有する。【選択図】図４
2019151053.tif 000002
【特許請求の範囲】
【請求項１】
操作に係る画面をユーザに表示する画像形成装置であって、
外部表示機器の画面サイズを示す情報を含み、画像形成装置を使用させるユーザの認証に使用する認証データを処理する認証部と、
操作パネルに画面表示を行う表示部と、
前記認証データに基づく外部表示機器の画面サイズと、前記操作パネルの画面サイズとを比較した結果に基づいて、前記外部表示機器及び前記操作パネルに画面表示を実行する制御部とを有する画像形成装置。
【請求項２】
前記認証データに基づく外部表示機器の画面サイズと、前記操作パネルの画面サイズとを比較して、画面サイズが大きいほうに操作に係る詳細な画面を表示させ、画面サイズが小さい方に操作に係る簡素な画面を表示させる請求項１記載の画像形成装置。
【請求項３】
前記外部表示機器との通信の確立を行う通信部をさらに備え、
前記通信部が所定の回数の接続を試行して前記外部表示機器と通信が確立できなかった場合、前記表示部は、前記外部表示機器の通信機能を有効にするようユーザに表示する請求項２記載の画像形成装置。
【請求項４】
前記認証データに基づく外部表示機器の画面サイズと、前記操作パネルの画面サイズとを比較して、前記外部表示機器の画面サイズのほうが大きい場合、前記表示部の画面表示を停止し、操作に係る詳細な画面を表示させ、
前記認証データに基づく外部表示機器の画面サイズと、前記操作パネルの画面サイズとを比較して、前記外部表示機器の画面サイズのほうが小さい場合、前記表示部の画面表示を停止し、操作に係る簡素な画面を表示させる請求項２記載の画像形成装置。
【請求項５】
前記認証データが複数の外部表示機器の画面サイズを示す情報を含む場合、前記表示部は、前記複数の外部表示機器の画面サイズをそれぞれ画面表示し、いずれの外部表示機器に画面表示させるか選択可能である請求項１記載の画像形成装置。
【請求項６】
前記表示部は、ユーザが外部表示機器の画面サイズを入力するための画面表示を行い、前記入力された画面サイズと、表示部の画面サイズとを比較した結果に基づいて、前記外部表示機器及び前記操作パネルに画面表示を実行する請求項１記載の画像形成装置。
【請求項７】
前記認証データに基づく外部表示機器の画面サイズと、前記操作パネルの画面サイズとを比較して、画面サイズが大きいほうに所定の画面を表示させる請求項１記載の画像形成装置。
【請求項８】
前記認証データに基づく外部表示機器の画面サイズと、前記操作パネルの画面サイズとを比較して、画面サイズが大きいほうに操作に係る詳細な画面を表示させ、画面サイズが小さい方に操作に係る簡素な画面を表示させ、
所定の操作によって前記詳細な画面を前記簡素な画面に変更して表示させ、
所定の操作によって前記簡素な画面を前記詳細な画面に変更して表示させる請求項２記載の画像形成装置。
【請求項９】
操作に係る画面をユーザに表示する画像形成方法であって、
外部表示機器の画面サイズを示す情報を含み、画像形成装置を使用させるユーザの認証に使用する認証データを処理する認証手順と、
操作パネルに画面表示を行う表示手順と、
前記認証データに基づく外部表示機器の画面サイズと、前記操作パネルの画面サイズとを比較した結果に基づいて、前記外部表示機器及び前記操作パネルに画面表示を実行する制御手順とを実行する画像形成方法。
【発明の詳細な説明】
【技術分野】
【０００１】
本発明は、画像形成装置及び画像形成方法に関する。
【背景技術】
【０００２】
従来から、ユーザの所有するスマートフォン又はタブレット等の外部表示機器との通信手段を有する画像形成装置が考案されており、画像形成装置の操作状況に応じた操作画面を外部表示機器に表示させ、画像形成装置が具備する操作パネル上の画面と外部表示機器の画面とを合わせて表示領域を拡張することで、ユーザの操作性を向上させる技術が既に知られている（例えば特許文献１）。
【発明の概要】
【発明が解決しようとする課題】
【０００３】
しかしながら、従来の画像形成装置においては、ユーザの所有する外部表示機器の画面サイズについての考慮がなされていないため、例えば、外部表示機器が小さい画面であっても大きい画面であっても、所定の決められた操作画面を表示させることしかできず、使いやすく最適な操作画面を提供できていないという問題があった。
【０００４】
本発明は上記の点に鑑みてなされたものであって、外部表示機器の表示画面上に最適な操作画面を表示させ、ユーザの操作性を向上させることを目的とする。
【課題を解決するための手段】
【０００５】
そこで上記課題を解決するため、画像形成装置は、操作に係る画面をユーザに表示し、外部表示機器の画面サイズを示す情報を含み、画像形成装置を使用させるユーザの認証に使用する認証データを処理する認証部と、操作パネルに画面表示を行う表示部と、前記認証データに基づく外部表示機器の画面サイズと、前記操作パネルの画面サイズとを比較した結果に基づいて、前記外部表示機器及び前記操作パネルに画面表示を実行する制御部とを有する。
【発明の効果】
【０００６】
外部表示機器の表示画面上に最適な操作画面を表示させ、ユーザの操作性を向上させることができる。
【図面の簡単な説明】
【０００７】
【図１】本発明の実施の形態における画像形成装置１の例を示す図である。
【図２】本発明の実施の形態における操作パネル１１の例を示す図である。
【図３】本発明の実施の形態における外部表示機器２１の例を示す図である。
【図４】本発明の実施の形態における画像形成装置１のハードウェア構成例を示す図である。
【図５】本発明の実施の形態における操作画面の表示の例（１）を説明するためのフローチャートである。
【図６】本発明の実施の形態における操作画面の例（１）を示す図である。
【図７】本発明の実施の形態における操作画面の例（２）を示す図である。
【図８】本発明の実施の形態における操作画面の表示の例（２）を説明するためのフローチャートである。
【図９】本発明の実施の形態における操作画面の例（３）を示す図である。
【図１０】本発明の実施の形態における操作画面の例（４）を示す図である。
【図１１】本発明の実施の形態における操作画面の例（５）を示す図である。
【図１２】本発明の実施の形態における操作画面の表示の例（３）を説明するためのフローチャートである。
【図１３】本発明の実施の形態における操作画面の例（６）を示す図である。
【図１４】本発明の実施の形態における操作画面の表示の例（４）を説明するためのフローチャートである。
【図１５】本発明の実施の形態における操作画面の例（７）を示す図である。
【図１６】本発明の実施の形態における印刷プレビュー画面の表示の例（１）を説明するためのフローチャートである。
【図１７】本発明の実施の形態における印刷プレビュー操作画面の表示の例（１）を示す図である。
【図１８】本発明の実施の形態における印刷プレビュー操作画面の表示の例（２）を示す図である。
【図１９】本発明の実施の形態における印刷プレビュー画面の表示の例を示す図である。
【図２０】本発明の実施の形態における操作画面の表示の例（８）を示す図である。
【図２１】本発明の実施の形態における操作画面の表示の例（９）を示す図である。
【発明を実施するための形態】
【０００８】
以下、図面に基づいて本発明の実施の形態を説明する。
【０００９】
図１は、本発明の実施の形態における画像形成装置１の構成例を示す図である。図１に示されるように、画像形成装置１は、ＡＤＦ１０（Auto Document Feeder）、操作パネル２０、スキャナ３０、プリンタ４０、排紙トレイ５０、用紙トレイ６０及び本体制御板７０を有する。ＡＤＦ１０は、自動原稿送り装置装置である。操作パネル２０は、ユーザへの画面表示及びユーザからの操作を取得する。スキャナ３０は、原稿を読み取る装置である。プリンタ４０は原稿に画像形成を行う装置である。排紙トレイ５０は、印刷された原稿が排出されるトレイである。用紙トレイ６０は、印刷される原稿の用紙を格納するトレイである。本体制御板７０は、画像形成装置１を制御する。
【００１０】
画像形成装置１は、プリンタ、ファクシミリ、スキャナ又はＭＦＰ（Multi-Function Peripheral）等である。画像形成装置１は、本体制御板７０に制御され、本体制御板７０と接続される操作パネル２０で画面表示及び応答の入出力を行う。また、画像形成装置１は、ＡＤＦ１０により送られる読み取る原稿をスキャナ３０により読み取る。また、画像形成装置１は、入力されるデータに基づいて、用紙トレイ６０から用紙を取得してプリンタ４０で印刷を行い、排紙トレイ５０に排出する。
【００１１】
図２は、本発明の実施の形態における操作パネル２０の構成例を示す図である。
図２に示されるように、操作パネル２０は、ＬＣＤ２１（Liquid Crystal Display）、タッチパネル２２、ハードキー２３、状態表示ＬＥＤ２４（Light Emitting Diode）及びユーザ認証部２５を有する。タッチパネル２２又はハードキー２３を用いて、ユーザは操作を入力することができる。ＬＣＤ２１は、多様な情報を表示することができる。状態表示ＬＥＤ２４は、画像形成装置１の状態を点灯によって示すことができる。ユーザ認証部２５は、ユーザを認証するためのデータが保存された認証カード又は外部表示機器８０をユーザが近接させることで、ユーザの認証処理が実行され、画像形成装置１が利用可能になる。
【００１２】
図３は、本発明の実施の形態における外部表示機器８０の構成例を示す図である。図３に示されるように、外部表示機器８０は、ＬＣＤ８１、タッチパネル８２、ハードキー８３及び認証部８４を有する。タッチパネル８２又はハードキー８３を用いて、ユーザは操作を入力することができる。ＬＣＤ２１は、多様な情報を表示することができる。外部表示機器８０内部の記憶装置には、ユーザを認証するためのデータ、ＬＣＤ８１の画面サイズ及び解像度等のデータが保存されており、ユーザは、認証部８４を画像形成装置１のユーザ認証部２５に近接させることで、ユーザの認証処理が実行され、画像形成装置１が利用可能になる。
【００１３】
外部表示機器８０は、例えば、画像形成装置１と無線通信を介して通信可能な携帯通信端末としてのスマートフォン、タブレット端末、又はウェアラブルデバイス等のデバイスである。スマートフォンとは、携帯電話としての通話機能のほか、カメラによる撮像機能、ＰＣのようなＷｅｂ情報表示機能等の多機能を備える端末であり、タブレット端末とは、スマートフォンと同様に多機能端末として機能するタブレット型の端末である。外部表示機器８０を利用するユーザは、簡単な操作で画像形成装置１に認証処理を実行させてログインすることができる。
【００１４】
図４は、本発明の実施の形態における画像形成装置１のハードウェア構成例を示す図である。図４に示されるように、画像形成装置１の本体制御板７０は、ＣＰＵ１０２（Central Processing Unit）、内部バス１０３、ＲＯＭ１０４（Read Only Memory）、ＲＡＭ１０５（Random Access Memory）、不揮発性メモリ１０６、入出力Ｉ／Ｆ１０７及び通信Ｉ／Ｆ１０８を有する。画像形成装置１の操作パネル２０は、操作パネル制御板１１０、ＭＰＵ１１１（Micro Processing Unit）、ＬＣＤ１１２、ＬＥＤ１１３、ハードキー１１４、タッチパネル１１５及びユーザ認証部１１６を有する。入出力Ｉ／Ｆ１０７と操作パネル制御板１１０とは、操作パネル接続ケーブル１１７により接続される。入出力Ｉ／Ｆ１０７とユーザ認証部１１６とは、ユーザ認証部接続ケーブル１１８により接続される。外部表示機器８０は、無線通信１１９により、通信Ｉ／Ｆ１０８と接続される。
【００１５】
画像形成装置１の本体制御板７０は、ＣＰＵ１０２により画像形成装置１全体の制御を行う。ＣＰＵ１０２は、内部バス１０３を介して、プログラム及びデータを記憶するＲＯＭ１０４、プログラム実行時にワークエリアとして使用されるＲＡＭ１０５、各種情報を記憶する不揮発性メモリ１０６、入出力Ｉ／Ｆ１０７及び通信Ｉ／Ｆ１０８と接続され、ＣＰＵ１０２がプログラムを実行することによって実現される機能で制御される。
【００１６】
操作パネル２０は、操作パネル制御板１１０を有する。操作パネル制御板１１０は、ＭＰＵ１１１によって操作パネル２０全体の制御を行う。操作パネル２０に具備されるＬＣＤ１１２、ＬＥＤ１３、ハードキー１４及びタッチパネル１５は、ＭＰＵ１１１と接続されて制御される。操作パネル制御板１１０は、操作パネル接続ケーブルを介して入出力Ｉ／Ｆ１０７と接続され、本体制御板７０からの電源供給を受け、ＣＰＵ１０２と通信を行う。ユーザ認証部１１６は、ユーザ認証部接続ケーブル１１８を介して入出力Ｉ／Ｆ１０７と接続され、本体制御板７０からの電源供給を受け、ＣＰＵ１０２と通信を行う。なお、ユーザ認証部１１６は、操作パネル２０から分離されていてもよい。
【００１７】
ユーザが所有する外部表示機器８０は、無線通信１１９を介して通信Ｉ／Ｆ１０８と接続される。外部表示機器８０において表示される描画データ、ユーザに入力される座標データ、表示画面の向き等の情報が無線通信１１９を介して送受信される。無線通信１１９は、例えば、無線ＬＡＮ（Local Area Network）でもよいし、他の近距離無線通信方法であってもよい。
【００１８】
図５は、本発明の実施の形態における操作画面の表示の例（１）を説明するためのフローチャートである。図５において、ユーザがユーザ認証部１１６に認証カードを近接させたとき、画像形成装置１が、ユーザが所有する外部表示機器８０の画面サイズを判定し、外部表示機器８０の表示画面上に最適な操作画面を表示させるフローについて説明する。
【００１９】
ユーザが画像形成装置１を利用するとき、ユーザ認証を行ってログインする必要がある。ステップＳ１０１において、ユーザがユーザ認証部１１６に認証カードをかざす。続いて、本体制御板７０のＣＰＵ１０２は、ユーザ認証データをリードして、外部表示機器８０の画面サイズの情報を取得する（Ｓ１０２）。ここで、ユーザ認証データに、外部表示機器８０の画面サイズを示す情報が含まれていてもよいし、予めユーザに関連付けられた外部表示機器８０の画面サイズのデータベースを画像形成装置１が有していて、ユーザが認証されたとき、データベースから当該ユーザと関連付けられて記憶された外部表示機器８０の画面サイズを示す情報が取得されてもよい。
【００２０】
続いて、画像形成装置１が省エネ状態の場合は、本体制御板７０のＣＰＵ１０２は、操作パネル２０の電源をオンしてスタンバイ状態に復帰させる。一方、画像形成装置１がスタンバイ状態である場合、特に処理は行われない（Ｓ１０３）。
【００２１】
ステップＳ１０４において、ＣＰＵ１０２は、操作パネル２０に外部表示機器８０を「使用する」及び「使用しない」ダイアログを表示する。「使用する」が押下された場合、ステップＳ１０５に進み、「使用しない」が押下された場合、ステップＳ１１０に進む。
【００２２】
ステップＳ１０５において、通信Ｉ／Ｆ１０８を介して外部表示機器８０との無線通信が確立されたか否かが判定される。無線通信が確立された場合（Ｓ１０５のＹＥＳ）、ステップＳ１０７に進み、無線通信が確立されなかった場合（Ｓ１０５のＮＯ）、ステップＳ１０６に進む。
【００２３】
ステップＳ１０６において、画像形成装置１は無線通信を再度試行する。試行回数ｎが所定の回数ｐ未満である場合、ステップＳ１０５に戻り、試行回数ｎが所定の回数ｐ以上である場合、外部表示機器８０とは接続されず、ステップＳ１１０に進む。
【００２４】
ステップＳ１０７において、外部表示機器８０の画面サイズが操作パネル２０の画面サイズ以上であるか否かが判定される。外部表示機器８０の画面サイズが操作パネル２０の画面サイズ以上である場合（Ｓ１０７のＹＥＳ）、ステップＳ１０８に進み、外部表示機器８０の画面サイズが操作パネル２０の画面サイズ未満である場合（Ｓ１０７のＮＯ）、ステップＳ１０９に進む。
【００２５】
ステップＳ１０８において、本体制御板７０のＣＰＵ１０２は、外部表示機器８０の表示画面により多くの操作可能な情報を表示する方が効率的であるため、外部表示機器８０に「詳細画面」と呼称する操作画面を表示し、操作パネル２０に「簡単画面」と呼称する操作画面を表示させてフローを終了する。なお、操作画面の表示に必要となる描画データ量を削減するため、本体制御板７０のＣＰＵ１０２は、取得した外部表示機器８０の解像度の情報に基づいて、描画データをスケーリングして外部表示機器８０に送信する。なお、ステップＳ１０２において、認証データに付加される外部表示機器の画面サイズ情報は、解像度の情報であってもよい。
【００２６】
ステップＳ１０９において、本体制御板７０のＣＰＵ１０２は、操作パネル２０の表示画面により多くの操作可能な情報を表示する方が効率的であるため、操作パネル２０に「詳細画面」の操作画面を表示し、外部表示機器８０に「簡単画面」の操作画面を表示させてフローを終了する。
【００２７】
ステップＳ１１０において、本体制御板７０のＣＰＵ１０２は、操作パネル２０の表示画面に通常の操作画面を表示させてフローを終了する。
【００２８】
図６は、本発明の実施の形態における操作画面の例（１）を示す図である。図６は、操作パネル２０又は外部表示機器８０に表示される「簡単画面」の操作画面である。図６に示されるように、「簡単画面」においては「詳細画面」より簡易な機能表示がされる。
【００２９】
図７は、本発明の実施の形態における操作画面の例（２）を示す図である。図７は、操作パネル２０又は外部表示機器８０に表示される「詳細画面」の操作画面である。図７に示されるように、「詳細画面」においては「簡単画面」より詳細な機能表示がされる。
【００３０】
図８は、本発明の実施の形態における操作画面の表示の例（２）を説明するためのフローチャートである。図８において、ユーザがユーザ認証部１１６に外部表示機器８０の認証部８４を近接させたとき、操作パネル２０を使用しない場合は操作パネル２０の表示を停止して消費電力を削減しつつ、ユーザが所有する外部表示機器８０の画面サイズを判定し、外部表示機器８０の表示画面上に最適な操作画面を表示させるフローについて説明する。
【００３１】
ユーザが画像形成装置１を利用するとき、ユーザ認証を行ってログインする必要がある。外部表示機器８０を積極的に利用したいユーザは、外部表示機器８０の認証部８４をユーザ認証部１１６にかざす（Ｓ２０１）。続いて、本体制御板７０のＣＰＵ１０２は、ユーザ認証データをリードして、外部表示機器８０の画面サイズの情報を取得する（Ｓ２０２）。続いて、画像形成装置１が省エネ状態の場合は、本体制御板７０のＣＰＵ１０２は、操作パネル２０の電源をオンしてスタンバイ状態に復帰させる。一方、画像形成装置１がスタンバイ状態である場合、特に処理は行われない（Ｓ２０３）。
【００３２】
ステップＳ２０４において、ＣＰＵ１０２は、操作パネル２０に外部表示機器８０を「使用する」及び「使用しない」ダイアログを表示する。「使用する」が押下された場合、ステップＳ２０５に進み、「使用しない」が押下された場合、ステップＳ２１５に進む。
【００３３】
ステップＳ２０５において、通信Ｉ／Ｆ１０８を介して外部表示機器８０との無線通信が確立されたか否かが判定される。無線通信が確立された場合（Ｓ２０５のＹＥＳ）、ステップＳ２０８に進み、無線通信が確立されなかった場合（Ｓ２０５のＮＯ）、ステップＳ２０６に進む。
【００３４】
ステップＳ２０６において、画像形成装置１は無線通信を再度試行する。試行回数ｎが所定の回数ｐ未満である場合、ステップＳ２０５に戻り、試行回数ｎが所定の回数ｐ以上である場合、ステップＳ２０７に進む。
【００３５】
ステップＳ２０７において、本体制御板７０のＣＰＵ１０２は、操作パネル２０の表示画面に「外部デバイスの無線通信機能を有効にしてください」旨の画面を表示する。
【００３６】
図９は、本発明の実施の形態における操作画面の例（３）を示す図である。図９に示されるように、外部表示機器８０と無線通信が確立できない場合、「外部デバイスの無線通信機能を有効にしてください。」とのメッセージを操作パネル２０の画面に表示して、ボタン「ＯＫ」及びボタン「操作パネルを使用する」を表示する。
【００３７】
図８に戻る。ボタン「ＯＫ」を押下した場合、ステップＳ２０５に戻る。ボタン「操作パネルを使用する」を押下した場合、ステップＳ２１５に進む。
【００３８】
ステップＳ２０８において、外部表示機器８０の画面サイズが操作パネル２０の画面サイズ以上であるか否かが判定される。外部表示機器８０の画面サイズが操作パネル２０の画面サイズ以上である場合（Ｓ２０８のＹＥＳ）、ステップＳ２０９に進み、外部表示機器８０の画面サイズが操作パネル２０の画面サイズ未満である場合（Ｓ２０８のＮＯ）、ステップＳ２１０に進む。
【００３９】
ステップＳ２０９において、本体制御板７０のＣＰＵ１０２は、外部表示機器に操作パネル２０の画面を「表示する」又は「表示しない」旨のダイアログを表示する。「表示する」が押下された場合、ステップＳ２１１に進み、「表示しない」が押下された場合、ステップＳ２１２に進む。
【００４０】
ステップＳ２１１において、本体制御板７０のＣＰＵ１０２は、外部表示機器８０の表示画面により多くの操作可能な情報を表示する方が効率的であるため、外部表示機器８０に「詳細画面」の操作画面を表示し、操作パネル２０に「簡単画面」の操作画面を表示させてフローを終了する。
【００４１】
ステップＳ２１２において、本体制御板７０のＣＰＵ１０２は、操作パネル２０のＬＣＤ１１２を表示させる回路をＯＦＦし、外部表示機器８０に「詳細画面」の操作画面を表示させてフローを終了する。
【００４２】
ステップＳ２１０において、本体制御板７０のＣＰＵ１０２は、外部表示機器に操作パネル２０の画面を「表示する」又は「表示しない」旨のダイアログを表示する。「表示する」が押下された場合、ステップＳ２１３に進み、「表示しない」が押下された場合、ステップＳ２１４に進む。
【００４３】
ステップＳ２１３において、本体制御板７０のＣＰＵ１０２は、操作パネル２０の表示画面により多くの操作可能な情報を表示する方が効率的であるため、操作パネル２０に「詳細画面」の操作画面を表示し、外部表示機器８０に「簡単画面」の操作画面を表示させてフローを終了する。
【００４４】
ステップＳ２１４において、本体制御板７０のＣＰＵ１０２は、操作パネル２０のＬＣＤ１１２を表示させる回路をＯＦＦし、外部表示機器８０に「簡単画面」の操作画面を表示させてフローを終了する。
【００４５】
ステップＳ２１５において、本体制御板７０のＣＰＵ１０２は、操作パネル２０の表示画面に通常の操作画面を表示させてフローを終了する。
【００４６】
図１０は、本発明の実施の形態における操作画面の例（４）を示す図である。図１０は、外部表示機器８０に表示される「簡単画面」の操作画面である。図１０に示されるように、「簡単画面」においては「詳細画面」より簡易な機能表示がされる。また、ボタン「操作パネル表示」を表示して、ユーザの必要に応じて、操作パネル２０の画面表示を有効にすることができる。
【００４７】
図１１は、本発明の実施の形態における操作画面の例（５）を示す図である。図１１は、外部表示機器８０に表示される「詳細画面」の操作画面である。図１０に示されるように、「詳細画面」においては「簡単画面」より詳細な機能表示がされる。また、ボタン「操作パネル表示」を表示して、ユーザの必要に応じて、操作パネル２０の画面表示を有効にすることができる。
【００４８】
図１２は、本発明の実施の形態における操作画面の表示の例（３）を説明するためのフローチャートである。図１２において、複数の外部表示機器８０を所有するユーザがユーザ認証部１１６に認証カードを近接させたとき、画像形成装置１が、ユーザが所有する外部表示機器８０の画面サイズを判定し、外部表示機器８０の表示画面上に最適な操作画面を表示させるフローについて説明する。
【００４９】
ユーザが画像形成装置１を利用するとき、ユーザ認証を行ってログインする必要がある。ステップＳ３０１において、ユーザがユーザ認証部１１６に認証カードをかざす。続いて、本体制御板７０のＣＰＵ１０２は、ユーザ認証データをリードして、複数の外部表示機器８０の画面サイズの情報を取得する（Ｓ３０２）。続いて、画像形成装置１が省エネ状態の場合は、本体制御板７０のＣＰＵ１０２は、操作パネル２０の電源をオンしてスタンバイ状態に復帰させる。一方、画像形成装置１がスタンバイ状態である場合、特に処理は行われない。また、本体制御板７０のＣＰＵ１０２は、操作パネル２０の表示画面に、外部表示機器８０を選択するダイアログを表示する（Ｓ３０３）。
【００５０】
図１３は、本発明の実施の形態における操作画面の例（６）を示す図である。図１３に示されるように、本体制御板７０のＣＰＵ１０２は、操作パネル２０の表示画面に、使用する外部デバイスすなわち外部表示機器８０の候補を表示する。各外部表示機器８０の画面サイズが共に表示されてもよい。ユーザは、表示された外部表示機器８０の候補から使用する外部表示機器８０を選択する。なお、最も画面サイズが大きな外部表示機器８０が本体制御板７０のＣＰＵ１０２に選択されてもよい。
【００５１】
図１２に戻る。ステップＳ３０４において、ＣＰＵ１０２は、操作パネル２０に外部表示機器８０を「使用する」及び「使用しない」ダイアログを表示する。「使用する」が押下された場合、ステップＳ３０５に進み、「使用しない」が押下された場合、ステップＳ３１０に進む。
【００５２】
ステップＳ３０５において、通信Ｉ／Ｆ１０８を介して外部表示機器８０との無線通信が確立されたか否かが判定される。無線通信が確立された場合（Ｓ３０５のＹＥＳ）、ステップＳ３０７に進み、無線通信が確立されなかった場合（Ｓ３０５のＮＯ）、ステップＳ３０６に進む。
【００５３】
ステップＳ３０６において、画像形成装置１は無線通信を再度試行する。試行回数ｎが所定の回数ｐ未満である場合、ステップＳ３０５に戻り、試行回数ｎが所定の回数ｐ以上である場合、外部表示機器８０とは接続されず、ステップＳ３１０に進む。
【００５４】
ステップＳ３０７において、外部表示機器８０の画面サイズが操作パネル２０の画面サイズ以上であるか否かが判定される。外部表示機器８０の画面サイズが操作パネル２０の画面サイズ以上である場合（Ｓ３０７のＹＥＳ）、ステップＳ３０８に進み、外部表示機器８０の画面サイズが操作パネル２０の画面サイズ未満である場合（Ｓ３０７のＮＯ）、ステップＳ３０９に進む。
【００５５】
ステップＳ３０８において、本体制御板７０のＣＰＵ１０２は、外部表示機器８０の表示画面により多くの操作可能な情報を表示する方が効率的であるため、外部表示機器８０に「詳細画面」の操作画面を表示し、操作パネル２０に「簡単画面」の操作画面を表示させてフローを終了する。
【００５６】
ステップＳ３０９において、本体制御板７０のＣＰＵ１０２は、操作パネル２０の表示画面により多くの操作可能な情報を表示する方が効率的であるため、操作パネル２０に「詳細画面」の操作画面を表示し、外部表示機器８０に「簡単画面」の操作画面を表示させてフローを終了する。
【００５７】
ステップＳ３１０において、本体制御板７０のＣＰＵ１０２は、操作パネル２０の表示画面に通常の操作画面を表示させてフローを終了する。
【００５８】
図１４は、本発明の実施の形態における操作画面の表示の例（４）を説明するためのフローチャートである。図１４において、ユーザ認証が不要である画像形成装置１の場合であって、外部表示機器８０の画面サイズをユーザが直接入力することで、画像形成装置１が、ユーザが所有する外部表示機器８０の画面サイズを判定し、外部表示機器８０の表示画面上に最適な操作画面を表示させるフローについて説明する。例えば、コンビニエンスストア等に設置される画像形成装置１の場合は、ユーザ認証が不要であってもよい。
【００５９】
ユーザが画像形成装置１を利用するとき、所定の使用開始アクション、例えば、操作パネル２０のキー押下、操作パネル２０のタッチ、ＡＤＦ１０オープン等）を行うと（Ｓ４０１）、画像形成装置１が省エネ状態の場合は、本体制御板７０のＣＰＵ１０２は、操作パネル２０の電源をオンしてスタンバイ状態に復帰させる。一方、画像形成装置１がスタンバイ状態である場合、特に処理は行われない。また、本体制御板７０のＣＰＵ１０２は、操作パネル２０の表示画面に、外部表示機器８０の画面サイズの入力画面を表示する（Ｓ４０２）。
【００６０】
図１５は、本発明の実施の形態における操作画面の例（７）を示す図である。図１５に示されるように、本体制御板７０のＣＰＵ１０２は、使用する外部表示機器８０の画面サイズをユーザが入力するための画面が操作パネル２０に表示する。ユーザは、使用する外部表示機器８０の画面サイズを入力する。また、図１５に示されるように、「外部デバイス使用しない」のボタンを表示して、外部表示機器８０を使用しないことをユーザが入力可能であってもよい。
【００６１】
図１４に戻る。ステップＳ４０３において、ＣＰＵ１０２は、操作パネル２０に外部表示機器８０を「使用する」及び「使用しない」ダイアログを表示する。「使用する」が押下された場合、ステップＳ４０４に進み、「使用しない」が押下された場合、ステップＳ４０９に進む。
【００６２】
ステップＳ４０４において、通信Ｉ／Ｆ１０８を介して外部表示機器８０との無線通信が確立されたか否かが判定される。無線通信が確立された場合（Ｓ４０４のＹＥＳ）、ステップＳ３０７に進み、無線通信が確立されなかった場合（Ｓ４０４のＮＯ）、ステップＳ４０５に進む。
【００６３】
ステップＳ４０５において、画像形成装置１は無線通信を再度試行する。試行回数ｎが所定の回数ｐ未満である場合、ステップＳ３０５に戻り、試行回数ｎが所定の回数ｐ以上である場合、外部表示機器８０とは接続されず、ステップＳ４０９に進む。
【００６４】
ステップＳ４０６において、外部表示機器８０の画面サイズが操作パネル２０の画面サイズ以上であるか否かが判定される。外部表示機器８０の画面サイズが操作パネル２０の画面サイズ以上である場合（Ｓ４０６のＹＥＳ）、ステップＳ４０７に進み、外部表示機器８０の画面サイズが操作パネル２０の画面サイズ未満である場合（Ｓ４０６のＮＯ）、ステップＳ４０８に進む。
【００６５】
ステップＳ４０７において、本体制御板７０のＣＰＵ１０２は、外部表示機器８０の表示画面により多くの操作可能な情報を表示する方が効率的であるため、外部表示機器８０に「詳細画面」の操作画面を表示し、操作パネル２０に「簡単画面」の操作画面を表示させてフローを終了する。
【００６６】
ステップＳ４０８において、本体制御板７０のＣＰＵ１０２は、操作パネル２０の表示画面により多くの操作可能な情報を表示する方が効率的であるため、操作パネル２０に「詳細画面」の操作画面を表示し、外部表示機器８０に「簡単画面」の操作画面を表示させてフローを終了する。
【００６７】
ステップＳ４０９において、本体制御板７０のＣＰＵ１０２は、操作パネル２０の表示画面に通常の操作画面を表示させてフローを終了する。
【００６８】
図１６は、本発明の実施の形態における印刷プレビュー画面の表示の例（１）を説明するためのフローチャートである。図１６において、印刷プレビュー等の画面に代表される、ユーザがなるべく大きい画面上で確認したい操作画面を、操作パネル２０と外部表示機器８０との画面サイズを比較して、大きい画面を有する機器側で優先的に表示させるフローを説明する。
【００６９】
例えば、印刷プレビュー操作画面にて、これから印刷開始する画像データを詳細に確認するといったユースケースが考えられる。用紙の縦横設定が正しいか、拡大又は縮小の程度が意図通りか等の確認を行う上で、より大きい画面上で操作できることがユーザにとっては好ましい。したがって、ユーザがなるべく大きい画面上で確認した操作画面は、大きい画面を有する機器において優先的に表示されるようにしてユーザビリティの向上を図る。なお、ユーザがなるべく大きい画面上で確認したい操作画面は、印刷プレビューに限られず、例えば、スキャンされた原稿の確認画面であってもよく、画像形成装置１に接続されるＰＣ（Personal Computer）の接続設定画面等であってもよい。
【００７０】
外部表示機器８０が、画像形成装置１との無線通信を確立し、操作パネル２０及び外部表示機器８０共に操作画面を表示している状態が、フローが開始される状態である。ステップＳ５０１において、印刷プレビュー操作画面に遷移する操作が発生する。続いて、ステップＳ５０２において、外部表示機器８０の画面サイズが操作パネル２０の画面サイズ以上であるか否かが判定される。外部表示機器８０の画面サイズが操作パネル２０の画面サイズ以上である場合（Ｓ５０２のＹＥＳ）、ステップＳ５０３に進み、外部表示機器８０の画面サイズが操作パネル２０の画面サイズ未満である場合（Ｓ５０２のＮＯ）、ステップＳ５０４に進む。
【００７１】
ステップＳ５０３において、ユーザが直前に操作していたのは操作パネル２０か否かが判定される。操作パネル２０であった場合（Ｓ５０３のＹＥＳ）、ステップＳ５０５に進み、操作パネル２０でない、すなわち外部表示機器８０であった場合（Ｓ５０３のＮＯ）、ステップＳ５０６に進む。
【００７２】
ステップＳ５０４において、ユーザが直前に操作していたのは操作パネル２０か否かが判定される。操作パネル２０であった場合（Ｓ５０３のＹＥＳ）、ステップＳ５０７に進み、操作パネル２０でない、すなわち外部表示機器８０であった場合（Ｓ５０３のＮＯ）、ステップＳ５０８に進む。
【００７３】
ステップＳ５０５において、本体制御板７０のＣＰＵ１０２は、操作パネル２０には印刷プレビュー操作画面を表示させて、外部表示機器８０には印刷プレビュー画像のみを優先表示させて、フローを終了する。
【００７４】
ステップＳ５０６において、本体制御板７０のＣＰＵ１０２は、操作パネル２０には印刷プレビュー操作画面を表示させて、外部表示機器８０には印刷プレビュー画像を優先表示させた印刷プレビュー操作画面を表示させて、フローを終了する。
【００７５】
ステップＳ５０７において、本体制御板７０のＣＰＵ１０２は、操作パネル２０には印刷プレビュー画像を優先表示させた操作画面を表示させて、外部表示機器８０には印刷プレビュー操作画面を表示させて、フローを終了する。
【００７６】
ステップＳ５０８において、本体制御板７０のＣＰＵ１０２は、操作パネル２０には印刷プレビュー画像のみを表示させて、外部表示機器８０には印刷プレビュー操作画面を表示させて、フローを終了する。
【００７７】
図１７は、本発明の実施の形態における印刷プレビュー操作画面の表示の例（１）を示す図である。図１７は、操作パネル２０又は外部表示機器８０に表示される印刷プレビュー画像を優先表示させた印刷プレビュー操作画面の例である。本体制御板７０のＣＰＵ１０２は、印刷プレビュー画像を優先表示させると共に、簡易な機能ボタンも表示させる。
【００７８】
図１８は、本発明の実施の形態における印刷プレビュー操作画面の表示の例（２）を示す図である。図１８は、操作パネル２０又は外部表示機器８０に表示される印刷プレビュー操作画面の例である。本体制御板７０のＣＰＵ１０２は、印刷プレビュー画像と、詳細な機能ボタンとを表示させる。
【００７９】
図１９は、本発明の実施の形態における印刷プレビュー画面の表示の例を示す図である。図１９は、操作パネル２０又は外部表示機器８０に表示される印刷プレビュー画像のみが表示される印刷プレビュー画面の例である。各機能に対応するボタンは表示されず、印刷プレビュー画像が大きく表示される。
【００８０】
図２０は、本発明の実施の形態における操作画面の表示の例（８）を示す図である。図２０は、操作パネル２０又は外部表示機器８０に表示される「簡単画面」の操作画面である。図２０に示されるように、「簡単画面」においては「詳細画面」より簡易な機能表示がされ、「詳細画面に切替」ボタンが表示される。ユーザが「詳細画面に切替」ボタンを押下すると、画面表示は図２１に示される「詳細画面」に遷移する。
【００８１】
図２１は、本発明の実施の形態における操作画面の表示の例（９）を示す図である。図２１は、操作パネル２０又は外部表示機器８０に表示される「詳細画面」の操作画面である。図２１に示されるように、「詳細画面」においては「簡単画面」より詳細な機能表示がされ、「簡単画面に切替」ボタンが表示される。ユーザが「簡単画面に切替」ボタンを押下すると、画面表示は図２０に示される「簡単画面」に遷移する。
【００８２】
上述のように、本発明の実施の形態によれば、画像形成装置１は、ユーザ認証データに基づいて、ユーザが使用する外部表示機器８０の画面サイズを特定する。特定された画面サイズと、操作パネル２０の画面サイズとを比較した結果に基づいて、外部表示機器８０及び操作パネル２０それぞれに、適した操作画面を表示することができる。すなわち、外部表示機器の表示画面上に最適な操作画面を表示させ、ユーザの操作性を向上させることができる。
【００８３】
なお、本発明の実施の形態において、操作パネル制御板１１０は、表示部の一例である。ＣＰＵ１０２は、制御部の一例である。「簡単画面」は、簡素な画面の一例である。通信Ｉ／Ｆ１０８は、通信部の一例である。印刷プレビュー画像のみ表示される画面は、所定の画面の一例である。「詳細画面に切替」押下、又は「簡単画面に切替」押下は、所定の操作の一例である。
【００８４】
なお、本発明は、プロジェクタ、医療用機器又はテレビ会議システム等の画像処理装置又は画像処理システムに適用可能である。また、本発明は、撮像した画像を処理する装置又はシステムとなり得る、携帯電話、携帯型情報端末、車載機器等の通信端末又は情報処理装置に適用可能である。また、本発明の情報処理装置は、一つの装置にすべての機能を含んで構成されてもよいし、複数の装置によって構成されてもよい。
【００８５】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００８６】
１          画像形成装置
１０        ＡＤＦ
２０          操作パネル
３０          スキャナ
４０          プリンタ
５０          排紙トレイ
６０          用紙トレイ
７０          本体制御板
２１        ＬＣＤ
２２        タッチパネル
２３        ハードキー
２４        状態表示ＬＥＤ
２５        ユーザ認証部
８０          外部表示機器
８１        ＬＣＤ
８２        タッチパネル
８３        ハードキー
８４        認証部
１０２      ＣＰＵ
１０３      内部バス
１０４      ＲＯＭ
１０５      ＲＡＭ
１０６      不揮発性メモリ
１０７      入出力Ｉ／Ｆ
１０８      通信Ｉ／Ｆ
１１０      操作パネル制御板
１１１      ＭＰＵ
１１２      ＬＣＤ
１１３      ＬＥＤ
１１４      ハードキー
１１５      タッチパネル
１１６      ユーザ認証部
１１７      操作パネル接続ケーブル
１１８      ユーザ認証部接続ケーブル
１１９      無線通信
【先行技術文献】
【特許文献】
【００８７】
【特許文献１】特開２０１４−０１６９４１号公報
【図１】
2019151053.tif 000003
【図２】
2019151053.tif 000004
【図３】
2019151053.tif 000005
【図４】
2019151053.tif 000006
【図５】
2019151053.tif 000007
【図６】
2019151053.tif 000008
【図７】
2019151053.tif 000009
【図８】
2019151053.tif 000010
【図９】
2019151053.tif 000011
【図１０】
2019151053.tif 000012
【図１１】
2019151053.tif 000013
【図１２】
2019151053.tif 000014
【図１３】
2019151053.tif 000015
【図１４】
2019151053.tif 000016
【図１５】
2019151053.tif 000017
【図１６】
2019151053.tif 000018
【図１７】
2019151053.tif 000019
【図１８】
2019151053.tif 000020
【図１９】
2019151053.tif 000021
【図２０】
2019151053.tif 000022
【図２１】
2019151053.tif 000023